(57)【要約】【課題】  撮像装置と外部装置とを接続して画像を転送する場合に、接続エラーが生じたときは、撮像装置側で接続エラーの内容を把握することにより適切な対応ができるようにする。【解決手段】  デジタルカメラ１の制御部３２は、ＵＳＢケーブル３によって画像情報を転送するホスト２に対して接続を要求し、その接続の要求に対してホスト２から応答が得られなかった場合には接続エラーの内容を分析して、分析した接続エラーの内容をＬＣＤ４１に表示する。【選択図】  図１
2007088816.tif 000002
【特許請求の範囲】
【請求項１】
通信回線によって画像情報を転送する外部装置に対して接続を要求する接続制御手段と、
前記接続制御手段による接続の要求に対して前記外部装置から応答が得られなかった場合には接続エラーの内容を分析する通信制御手段と、
前記通信制御手段によって分析された接続エラーの内容を表示手段に表示する表示制御手段と、
を備えた撮像装置。
【請求項２】
前記通信制御手段は、前記外部装置における通信仕様を分析し、当該分析した通信仕様に整合する自己の通信仕様を設定できる場合には当該整合する通信仕様で前記外部装置に対する再接続を要求し、当該分析した通信仕様に整合する自己の通信仕様を設定できない場合には前記外部装置に対する切断処理を行うことを特徴とする請求項１に記載の撮像装置。
【請求項３】
前記通信制御手段は、前記外部装置における通信プロトコルを分析することを特徴とする請求項２に記載の撮像装置。
【請求項４】
前記通信制御手段は、前記外部装置における通信速度を分析することを特徴とする請求項２に記載の撮像装置。
【請求項５】
前記通信制御手段は、前記外部装置における画像通信のフォーマットを分析することを特徴とする請求項２に記載の撮像装置。
【請求項６】
通信回線によって画像情報を転送する外部装置に対して接続を要求するステップＡと、
前記ステップＡによる接続の要求に対して前記外部装置から応答が得られなかった場合には接続エラーの内容を分析するステップＢと、
前記ステップＢによって分析された接続エラーの内容を表示手段に表示するステップＣと、
をコンピュータに実行させる制御プログラム。
【請求項７】
前記ステップＢは、前記外部装置における通信仕様を分析し、当該分析した通信仕様に整合する自己の通信仕様を設定できる場合には当該整合する通信仕様で前記外部装置に対する再接続を要求し、当該分析した通信仕様に整合する自己の通信仕様を設定できない場合には前記外部装置に対する切断処理を行うことを特徴とする請求項６に記載の制御プログラム。
【請求項８】
前記ステップＢは、前記外部装置における通信プロトコルを分析することを特徴とする請求項７に記載の制御プログラム。
【請求項９】
前記ステップＢは、前記外部装置における通信速度を分析することを特徴とする請求項７に記載の制御プログラム。
【請求項１０】
前記ステップＢは、前記外部装置における画像通信のフォーマットを分析することを特徴とする請求項７に記載の制御プログラム。
【発明の詳細な説明】
【技術分野】
【０００１】
本発明は、撮像装置およびその制御プログラムに関し、特に、通信回線によって外部装置に画像を転送する撮像装置およびその制御プログラムに関するものである。
【背景技術】
【０００２】
デジタルカメラ、ビデオカメラ、カメラ付き携帯電話装置などの撮像装置においては、インターネット、ＵＳＢ（Universal Serial Bus）、ＩＥＥＥ１３９４、同軸ケーブルなどの有線の通信回線、あるいは移動体通信などの無線回線によって、撮像した静止画や動画の情報を転送する機能を具備している。転送する外部装置としては、パソコン、プリンタ、ビデオ記録装置、携帯電話装置などがある。
【０００３】
ある提案の電子カメラ（デジタルカメラ）においては、パーソナルコンピュータ装置、プリンタ装置および外部記憶装置の少なくともいずれか一つの外部装置がＵＳＢ接続され、この接続された外部装置に応じた最適処理を行うために、外部装置が電子カメラに接続されたことを判定する接続判定手段と、接続判定手段の出力に応答して、複数のＵＳＢ通信手順の内から一つを選択するための選択手段と、選択手段により選択されたＵＳＢ通信手順に則して外部装置と通信を行う通信制御手段と、を具備している。また、画像表示手段と操作入力手段をさらに有し、選択手段は、画像表示手段にＵＳＢのクラスを表示するとともに、操作入力手段からの入力情報によって所定の選択を行う構成になっている。
例えば、図４のフローチャートに示されているように、デジタルカメラの接続先がＰＣ（パーソナルコンピュータ装置）であるかプリンタ装置であるかを判断し（ステップＳ４）、プリンタ装置である場合には、ＵＳＢ接続の設定がプリント／ダイレクト転送であるか否かを判断する（ステップＳ６）。プリント／ダイレクト転送でない場合には、「接続されていません」の警告表示を行う（ステップＳ７）。プリント／ダイレクト転送である場合には、カードフタの開閉を検出し（ステップＳ９）、カードフタが開いている場合には、「カードフタが開いています」の警告表示を行う（ステップＳ１０）。そのほか、プリンタ装置に不具合がある場合には、その旨を警告表示するようになっている。（特許文献１参照）
【特許文献１】特開２００５−２０３０６号公報
【発明の開示】
【発明が解決しようとする課題】
【０００４】
上記特許文献１においては、デジタルカメラとプリンタ装置とを接続して画像を転送する際に、プリント／ダイレクト転送でない接続エラーについてはプリンタ装置側で検出してデジタルカメラ側に警告表示のメッセージを送信している。しかしながら、デジタルカメラ側では接続エラーの内容が大雑把すぎて適切な対応ができない。すなわち、プリント／ダイレクト転送でない場合には、実際には接続されているにもかかわらず「接続されていません」の警告が表示されるので、ユーザに無用な混乱を与えるだけで、適切な対応を指示することができない。
上記特許文献１にかぎらず、従来の技術においては、デジタルカメラ、ビデオカメラ、カメラ付き携帯電話装置などの撮像装置であるデバイス側と、パソコン、プリンタ、ビデオ記録装置、携帯電話装置などの外部装置であるホスト側とをＵＳＢケーブルで接続した場合に、ＵＳＢの規格拡張（ＵＳＢ１．１、ＵＳＢ２．０など）や多種多様のデバイス側およびホスト側で通信を行うため、接続ができなかったり、現在接続中の通信速度やファイル転送状況、ホスト側の機種、ＯＳ（オペレーションシステム）の種類、プロトコルクラス（ストレージクラス、ビデオクラス、イメージングクラスなど）の種類などがユーザに把握できないため、なぜ接続エラーになったのか分からない。
本発明は、このような従来の課題を解決するためのものであり、撮像装置（デバイス）と外部装置（ホスト）とを接続して画像を転送する場合に、接続エラーが生じたときは、撮像装置側で接続エラーの内容を把握することにより適切な対応ができるようにすることを目的とする。
【課題を解決するための手段】
【０００５】
請求項１に記載の撮像装置（実施形態においては、図１のデジタルカメラ１に相当する）は、通信回線（実施形態においては、図１のＵＳＢケーブル３に相当する）によって画像情報を転送する外部装置（実施形態においては、図１のホスト２に相当する）に対して接続を要求する接続制御手段（実施形態においては、図３の制御部３２に相当する）と、接続制御手段による接続の要求に対して外部装置から応答が得られなかった場合には接続エラーの内容を分析する通信制御手段（実施形態においては、図３の制御部３２に相当する）と、通信制御手段によって分析された接続エラーの内容を表示手段（実施形態においては、図３のＬＣＤ４１に相当する）に表示する表示制御手段（実施形態においては、図３の制御部３２に相当する）と、を備えた構成になっている。
【０００６】
請求項１の撮像装置において、請求項２に記載したように、通信制御手段は、外部装置における通信仕様（実施形態においては、プロトコルクラスに相当する）を分析し、当該分析した通信仕様に整合する自己の通信仕様を設定できる場合には当該整合する通信仕様で外部装置に対する再接続を要求し、当該分析した通信仕様に整合する自己の通信仕様を設定できない場合には外部装置に対する切断処理を行うような構成にしてもよい。
【０００７】
請求項２の撮像装置において、請求項３に記載したように、通信制御手段は、外部装置における通信プロトコルを分析するような構成にしてもよい。
あるいは請求項２の撮像装置において、請求項４に記載したように、通信制御手段は、外部装置における通信速度を分析するような構成にしてもよい。
あるいは請求項２の撮像装置において、請求項５に記載したように、通信制御手段は、外部装置における画像通信のフォーマットを分析するような構成にしてもよい。
【０００８】
請求項６に記載の制御プログラムは、通信回線（実施形態においては、図１のＵＳＢケーブル３に相当する）によって画像情報を転送する外部装置（実施形態においては、図１のホスト２に相当する）に対して接続を要求するステップＡと、ステップＡによる接続の要求に対して外部装置から応答が得られなかった場合には接続エラーの内容を分析するステップＢと、ステップＢによって分析された接続エラーの内容を表示手段（実施形態においては、図３のＬＣＤ４１に相当する）に表示するステップＣと、をコンピュータに実行させる構成になっている。
ステップＡないしステップＣは、実施形態においては図３の制御部３２によって実行される処理に相当する。
【０００９】
請求項６の制御プログラムにおいて、請求項７に記載したように、ステップＢは、外部装置における通信仕様（実施形態においては、プロトコルクラスに相当する）を分析し、当該分析した通信仕様に整合する自己の通信仕様を設定できる場合には当該整合する通信仕様で外部装置に対する再接続を要求し、当該分析した通信仕様に整合する自己の通信仕様を設定できない場合には外部装置に対する切断処理を行うような構成にしてもよい。
【００１０】
請求項７の制御プログラムにおいて、請求項８に記載したように、ステップＢは、外部装置における通信プロトコルを分析するような構成にしてもよい。
あるいは請求項７の制御プログラムにおいて、請求項９に記載したように、ステップＢは、外部装置における通信速度を分析するような構成にしてもよい。
あるいは請求項７の制御プログラムにおいて、請求項１０に記載したように、ステップＢは、外部装置における画像通信のフォーマットを分析するような構成にしてもよい。
【発明の効果】
【００１１】
本発明によれば、撮像装置と外部装置とを接続して画像を転送する場合に、接続エラーが生じたときは、撮像装置側で接続エラーの内容を把握することにより適切な対応ができるという効果が得られる。
【発明を実施するための最良の形態】
【００１２】
以下、本発明による撮像装置の実施形態について、図１ないし図７を参照して説明する。
図１は、実施形態におけるデバイス側（デジタルカメラ１）とホスト２とをＵＳＢケーブル３で接続した図である。ホスト２は、例えば、パソコン、プリンタ、ビデオ記録装置である。デバイス側からホスト側に画像データを転送する場合には、双方で一致するプロトコルクラスに従って転送する。プロトコルクラスには、ストレージクラス、ビデオクラス、イメージングクラスなど、ホスト側の機種に対応するものがある。さらに、ＵＳＢの規格として、最大速度が４８０ＭｂｐｓのハイスピードのＵＳＢ２．０、１２Ｍｂｐｓのフルスピードおよび１ＭｂｐｓのロースピードのＵＳＢ１．１がある。
【００１３】
図２は、デジタルカメラ１とホスト２との間で送受信される通信制御のデータフォーマットを示している。図２（Ａ）に示すように、このデータはヘッダｄ１、ホスト情報ｄ２、および拡張情報ｄ３で構成されている。各データは、図２（Ｂ）に示すような構成になっている。すなわち、ヘッダｄ１は、デジタルカメラ１のＵＳＢのプロトコルクラスを記述したＵＳＢディスクリプタの情報で構成されている。ホスト情報ｄ２は、ホスト機種であるパソコン機種名およびＯＳ、プリンタ機種名などの情報、ホスト側の対応するＵＳＢプロトコルの情報、ホスト側の対応するＵＳＢ通信速度の情報で構成されている。拡張情報ｄ３は、ユーザに開放された情報領域であり、個々のユーザによって送受信する情報が設定される。
【００１４】
図３は、図１のデジタルカメラ１のシステム構成を示すブロック図である。図３において、モータ（Ｍ）２１は、記録モード時に撮影レンズを含む光学系２２を駆動して、フォーカスや絞りを自動的に調整し、光学系２２を通した光像を撮像素子であるＣＣＤ２３に結像させる。ＣＣＤ２３は、タイミング発生器（ＴＧ）２４から発生されたタイミング信号に応じた垂直ドライバ２５によって走査駆動され、一定周期ごとに結像した光像を撮像（光電変換）して、１画面分の画像信号を出力する。サンプルホールド回路（Ｓ／Ｈ）２６は、この画像信号に対してＲＧＢの原色成分ごとに適宜ゲイン調整した後に、サンプルホールド処理を行ってＡ／Ｄ変換器２７に出力する。Ａ／Ｄ変換器２７は、サンプルホールド処理された画像信号をアナログからデジタルに変換してカラープロセス回路２８に出力する。カラープロセス回路２８は、画像信号に対して画素補間処理およびγ補正処理を含むカラープロセス処理を行って、輝度信号Ｙおよび色差信号Ｃｒ，Ｃｂからなる画像データを生成し、複合同期信号、メモリ書込イネーブル信号、クロック信号などとともに、ＤＭＡコントローラ２９に出力する。ＤＭＡコントローラ２９は、これらの信号に基づいて、ＤＲＡＭインタフェース（Ｉ／Ｆ）３０を介して、１画面分の画像データをＤＲＡＭ３１にＤＭＡ転送して書き込む。
【００１５】
制御部３２は、ＣＰＵ、ＲＯＭ、ＲＡＭなどで構成され、あらかじめＲＯＭに格納されている制御プログラムをＣＰＵによって実行し、処理するデータをワークエリアとしてのＲＡＭに一時的に記憶しながら、システムバスを介して接続されているＤＭＡコントローラ２９、ＶＲＡＭコントローラ３３、ＪＰＥＧ回路３４、メモリカード３５、内蔵メモリ３６、音声処理部３７、およびストロボ駆動部（図示せず）との間において、スイッチインタフェース（Ｉ／Ｆ）３８を介して入力されたスイッチ操作の信号に応じて、コマンドやデータの送受信を行って、このデジタルカメラ１全体を制御する。したがって、上記したＤＭＡコントローラ２９による画像データのＤＭＡ転送についても、制御部３２とのコマンドの送受信によって、ＤＭＡコントローラ２９がデータバスを一時的に占有することによって行われる。
【００１６】
制御部３２は、ＤＭＡコントローラ２９を介してＤＲＡＭ３１に書き込まれた画像データを読み出して、ＶＲＡＭコントローラ３３を介してＶＲＡＭ３９に書き込む。音声処理部３７は、制御部３２からの発音コマンドおよび音声データに応じてスピーカ４２を駆動するとともに、マイク４３から得られる音声データを制御部３２に入力する。デジタルビデオエンコーダ４０は、ＶＲＡＭコントローラ３３を介してＶＲＡＭ３９から定期的に画像データを読み出して、その画像データを元に発生したビデオ信号をＬＣＤ（液晶表示装置）４１に出力して表示させる。すなわち、記録モードのスルー画面モードにおいては、ＣＣＤ２３によって撮像された動画がＬＣＤ４１にスルー画像としてリアルタイムで表示される。
【００１７】
このスルー画面モードにおいて、シャッタスイッチが押下されたときは、スイッチインタフェース３８から制御部３２にトリガ信号が入力される。制御部３２は、このトリガ信号に応じて画像保存モードに遷移し、ＣＣＤ２３からＤＲＡＭ３１へのデータ転送の経路を停止し、画像データの保存処理を行う。すなわち、制御部３２は、ＣＣＤ２３によって撮像されてＬＣＤ４１に表示されている画像データをＶＲＡＭ３９から読み出して、ＪＰＥＧ回路３４に書き込み、ＪＰＥＧ（Joint Photographic Experts Group）のカラー静止画符号化方式であるＡＤＣＴ（Adaptive Discrete Cosine Transform；適応離散コサイン変換）、エントロピ符号化方式であるハフマン符号化等の処理によってデータ圧縮を行う。その後、制御部３２は、圧縮処理された画像データをＪＰＥＧ回路３４から読み出して、着脱可能なメモリカード３５、又は、内部に固定的に設けられている内蔵メモリ３６に書き込んで保存する。この後は、再びスルー画面モードに戻って、ＣＣＤ２３からＤＲＡＭ３１へのデータ転送の経路を復活して、ＣＣＤ２３によって撮像されたスルー画像をＬＣＤ４１にリアルタイムで表示する。また、ホスト側との間で接続エラーが生じたときは、後述するように、その接続エラーの内容を表示する。
制御部３２はまた、システムバスに接続されているＵＳＢインタフェース４４を介してホスト２との間でＵＳＢ接続処理を行う。
【００１８】
次に、実施形態のデジタルカメラのＵＳＢ接続処理について、図４ないし図６に示す制御部３２によって実行されるフローチャートおよび図７に示すＬＣＤ４１の画面に基づいて説明する。
図４において、デバイス側すなわちデジタルカメラ１のバッテリチェックを行って（ステップＳ１）、バッテリ電圧が規定値より低いエンプティレベルであるか否かを判別する（ステップＳ２）。エンプティレベルでない場合には、アクセスしたホスト２からのパケット送信をチェックして（ステップＳ３）、パケットを受信したか否かを判別する（ステップＳ４）。
【００１９】
パケットを受信したときは、デバイス・ディスクリプタを送受信して、ホスト２とのネゴシエーションを開始して（ステップＳ５）、ホスト情報を取得する（ステップＳ６）。次に、デバイス側が対応しているプロトコルクラスと、ホスト側が対応しているプロトコルクラスとの比較を行う（ステップＳ７）。そして、ホスト側のプロトコルクラスはデバイス側に対応していない（未対応）であるか否かを判別する（ステップＳ８）。ホスト側のプロトコルクラスが未対応である場合、すなわち全てのプロトコルクラスで一致しない場合には、接続エラー情報の画面をＬＣＤ４１に表示する（ステップＳ９）。この場合の接続エラーの画面を図７（Ａ）に示す。この後、ＵＳＢ接続回線を強制的に切断するか又は電源をオフにする（ステップＳ１０）。そして、メインルーチン（図示せず）に戻る。
ステップＳ２において、バッテリ電圧がエンプティレベルである場合には、ステップＳ９において接続エラー情報をＬＣＤ４１に表示する。この場合の接続エラーの画面を図７（Ｂ）に示す。
ステップＳ４において、ホスト側からパケットを受信しない場合には、一定時間が経過したか否かを判別し（ステップＳ１１）、一定時間が経過したときは、ステップＳ９において接続エラー情報をＬＣＤ４１に表示する。この場合の接続エラーの画面を図７（Ｃ）に示す。
【００２０】
ステップＳ８において、ホスト側のプロトコルが対応している場合には、図５のフローチャートにおいて、ホスト側との接続は正常であるか否かを判別する（ステップＳ１２）。正常でない場合、すなわちホスト側からのネゴシエーション完了通知がこない場合には、ホスト側が対応しているプロトコルクラスに、デバイス側のコンフィギュレーションを切り替える（ステップＳ１３）。例えば、デバイス側からストレージクラスのプロトコルクラスを示すＵＳＢディスクリプタを送った場合に、ホスト側がこのプロトコルクラスに対応していない場合には、ストレージクラスのプロトコルクラスのコンフィギュレーションを切り替える。次に、デバイス側が対応している全てのプロトコルクラスで再接続を行ったか否かを判別し（ステップＳ１４）、再接続していないプロトコルクラスが残っている場合には、デバイス側でバスリセットを発行し（ステップＳ１５）、ＵＳＢ再接続を開始する（ステップＳ１７）。この後は、図４のステップＳ１に移行して、ＵＳＢ接続処理を続行する。
一方、図５のステップＳ１４において、全てのプロトコルクラスで再接続を行ったときは、接続エラー情報の画面をＬＣＤ４１に表示し（ステップＳ１７）、ＵＳＢ接続回線を強制的に切断するか又は電源をオフにする（ステップＳ１８）。そして、メインルーチンに戻る。
【００２１】
図５のステップＳ１２において、ホスト側との接続が正常である場合には、図６のフローチャートにおいて、ホスト側のディスクリプタからホスト情報とプロトコルクラス情報など拡張情報を含む情報を取得する（ステップＳ１９）。さらに、接続スピード情報をＵＳＢモジュールレジスタより取得する（ステップＳ２０）。次に、ホスト情報のディスクリプトを正常に取得したか否かを判別し（ステップＳ２１）、正常に取得したときは、ホストのＵＳＢ接続情報をＬＣＤ４１へ表示する（ステップＳ２２）。そして、メインルーチンに戻る。
図７（Ｄ）は、ＬＣＤ４１に表示されたＵＳＢ接続情報の例を示している。この場合には、ウインドウズＸＰのパソコンであるホストに対して、ＵＳＢ２．０のハイスピードで接続し、ストレージクラスのプロトコルクラスによって、ｊｐｇ形式の画像データを転送している状態で、現在１０％の転送が終了していることを示している。
【００２２】
以上のように、この実施形態によれば、デジタルカメラ１の制御部３２は、ＵＳＢによって画像情報を転送するホスト２に対して接続を要求し、その接続の要求に対してホスト２から応答が得られなかった場合には接続エラーの内容を分析して、分析した接続エラーの内容をＬＣＤ４１に表示する。
したがって、デジタルカメラ１とホスト２とを接続して画像を転送する場合に、接続エラーが生じたときは、デジタルカメラ１側で接続エラーの内容を把握することにより適切な対応ができる。
【００２３】
この場合において、制御部３２は、ホスト２におけるプロトコルクラスを分析し、その分析したプロトコルクラスに整合する自己のプロトコルクラスを設定できる場合には、その整合するプロトコルクラスでホスト２に対する再接続を要求し、その分析したプロトコルクラスに整合する自己のプロトコルクラスを設定できない場合には、ホスト２に対する切断処理を行う。
したがって、ホスト情報を分析することにより、柔軟なＵＳＢ接続処理を行うことができる。
【００２４】
なお、上記実施形態においては、ホスト２におけるストレージクラス、ビデオクラス、およびイメージングクラスのプロトコルクラスを分析する構成にしたが、その他の通信プロトコルを分析する構成にしてもよい。例えば、ＩＥＥＥ１３９４のプロトコルを分析する構成にしてもよい。
また、上記実施形態において、画像データのフォーマットであるｊｐｇ、ｐｉｎｇ、ｔｉｆ、ｂｍｐを分析する構成にしてもよい。
【００２５】
また、上記実施形態においては、デジタルカメラを例に採って本発明の撮像装置を説明したが、本発明の撮像装置はデジタルカメラに限定されるものではない。ビデオカメラ、ビデオカメラ、カメラ付き携帯電話装置にも適用できることは言うまでもない。
【００２６】
また、上記実施形態においては、あらかじめデジタルカメラ１内の制御部３２のＲＯＭに記憶された制御プログラムを実行する装置の発明について説明したが、外部記憶媒体であるフレキシブルディスク（ＦＤ）、ＣＤに記録されている制御プログラムをメモリカード３５又は内蔵メモリ３６にインストールするか、又は、インターネットなどのネットワークからダウンロードした制御プログラムをメモリカード３５又は内蔵メモリ３６にインストールして、その制御プログラムを制御部３２によって実行することも可能である。この場合には、プログラムの発明やそのプログラムを記録した記録媒体の発明を実現できる。
【００２７】
すなわち、本発明による制御プログラムは、
通信回線によって画像情報を転送する外部装置に対して接続を要求するステップＡと、前記ステップＡによる接続の要求に対して前記外部装置から応答が得られなかった場合には接続エラーの内容を分析するステップＢと、前記ステップＢによって分析された接続エラーの内容を表示手段に表示するステップＣと、をコンピュータに実行させる。
【００２８】
前記ステップＢは、前記外部装置における通信仕様を分析し、当該分析した通信仕様に整合する自己の通信仕様を設定できる場合には当該整合する通信仕様で前記外部装置に対する再接続を要求し、当該分析した通信仕様に整合する自己の通信仕様を設定できない場合には前記外部装置に対する切断処理を行うことを特徴とする。
【００２９】
前記ステップＢは、前記外部装置における通信プロトコルを分析することを特徴とする。
前記ステップＢは、前記外部装置における通信速度を分析することを特徴とする。
前記ステップＢは、前記外部装置における画像通信のフォーマットを分析することを特徴とする。
【図面の簡単な説明】
【００３０】
【図１】本発明の実施形態におけるデジタルカメラとホストとの接続を示す図。
【図２】図１のデジタルカメラとホストとの間で送受信されるデータ構成のフォーマット。
【図３】図１のデジタルカメラのシステム構成を示すブロック図。
【図４】図３の制御部によって実行される制御プログラムのフローチャート。
【図５】図４に続く制御プログラムのフローチャート。
【図６】図５に続く制御プログラムのフローチャート。
【図７】図３のデジタルカメラのＬＣＤに表示される接続エラーおよび通信状態を示す図。
【符号の説明】
【００３１】
１  デジタルカメラ
２  ホスト
３  ＵＳＢケーブル
３２  制御部
４１  ＬＣＤ
４４  ＵＳＢインタフェース
【図１】
2007088816.tif 000003
【図２】
2007088816.tif 000004
【図３】
2007088816.tif 000005
【図４】
2007088816.tif 000006
【図５】
2007088816.tif 000007
【図６】
2007088816.tif 000008
【図７】
2007088816.tif 000009